(57)【要約】      （修正有）【課題】つる部を開いた状態でのめがね枠の展示、陳列を可能にし、必要に応じ壁面に対しめがね枠を着脱可能にし、設置空間を有効利用可能にする。【解決手段】基板２に支柱３の一端を固定し、この支柱３の他端に、この他端における支柱３の中心線の回りに、めがね枠支持部材４を回動可能に取り付ける。【選択図】図２
0003115330.tif 000002
【実用新案登録請求の範囲】
【請求項１】
基板と、
この基板に一端が固定された支柱と、
この支柱の他端に、該他端における支柱の中心線の回りに回動可能に取り付けられためがね枠支持部材と、
を備えることを特徴とするめがね枠展示陳列支持装置。
【請求項２】
前記めがね枠支持部材が、放射状に延びる所定長の２本のつる支持片および１本のブリッジ支持片からなることを特徴とする請求項１に記載のめがね枠展示陳列支持装置。
【請求項３】
前記めがね枠支持部材が成形品であることを特徴とする請求項１に記載のめがね枠展示陳列支持装置。
【請求項４】
前記支柱には、前記他端外周に凸凹部が設けられ、前記めがね枠支持部材の中心孔内周には、前記凹凸部に選択的に嵌合可能な複数の縦凹凸部が設けられてなることを特徴とする請求項１に記載のめがね枠展示陳列支持装置。
【請求項５】
前記支柱の一端には、壁面またはパネル面に設置された係止部材に対し、取り外し可能に係止される基板が取り付けられてなることを特徴とする請求項１に記載のめがね枠展示陳列支持装置。
【請求項６】
前記基板が、前記支柱を平面上に設立可能にするスタンドベースであることを特徴とする請求項１に記載のめがね枠展示陳列支持装置。
【考案の詳細な説明】
【技術分野】
【０００１】
本考案は、めがね枠展示陳列支持装置に係り、詳しくはめがね枠のつる部を開いた状態で支持し、陳列や展示に供するためのめがね枠展示陳列支持装置に関する。
【背景技術】
【０００２】
視力の低下等を補うために近視用、遠視用、乱視用等のめがねや、太陽光から眼を保護するためにサングラスといった色付きめがねなどが広く用いられている。
これらのめがねのめがね枠は、いずれも一対のレンズや色ガラス等を保持する２つのレンズフレームと、これらのレンズフレームを連結するブリッジ部と、使用者の耳に掛けるための各一のつる部と、レンズフレームを使用者の鼻で支える鼻パッド部とを備えて構成される。
【０００３】
ところで、一般に、このようなめがね枠を商店やデパートなどで陳列または展示する場合には、つる部をレンズフレーム側に折り畳んだ状態にて、陳列台等やショーケース内の棚板の上に設置される。
また、使用者がめがねを一時的に外した場合に、そのめがねを壁面に取り付けられた掛け止め具に吊持させるめがね支持装置（例えば、特許文献１参照）や、相対向する傾斜面の稜線に跨るスリットに対し、折り畳んだめがね枠を支持させるめがね枠展示陳列支持装置（例えば、特許文献２参照）などが提供されている。
【特許文献１】特開平０７−２３４３８６号公報
【特許文献２】特開２００２−３３６１０５号公報
【考案の開示】
【考案が解決しようとする課題】
【０００４】
しかしながら、前記のような従来のめがね枠展示陳列支持装置のうち、つる部を折り畳んで陳列、展示するものでは、顧客は、めがね枠の使用状態での外観をイメージすることが困難であり、速やかに自身の顔に似合っためがね枠の選択をすることができないという不都合があった。
【０００５】
また、前記壁面の掛け止め具にめがねを吊持させるものでは、壁面に掛け止め具を接着材等により固定する必要がある。従って、めがねの吊持位置を容易に変えることができない。また、吊持位置を変える場合には、そこに掛け止め具を新たに貼り付ける必要がある。
【０００６】
さらに、相対向する傾斜面に形成されたスリットにめがね枠を支持するものでは、つる部が折り畳み状態であるため、めがね枠全体のデザインを看取できない。このため、前記同様に、顧客は、めがね枠の使用状態での外観をイメージすることが困難であり、速やかに自身の顔に似合っためがね枠の選択をすることができない。また、その傾斜面を持つ部材の設置空間が大きいため、多数のめがね枠の陳列、展示に向かないという不都合がある。
【０００７】
本考案は、前記のような従来の問題点に着目してなされたものであり、使用状態に近い、つる部を開いた状態でのめがね枠の展示、陳列を整然と行えるようにするとともに、必要に応じ壁面に対しめがね枠を着脱可能に支持でき、さらに陳列棚等においても設置空間を有効利用しながらめがね枠を陳列、展示できるめがね枠展示陳列支持装置を提供することを目的とする。
【課題を解決するための手段】
【０００８】
前記目的達成のために、基板と、この基板に一端が固定された支柱と、この支柱の他端に、該他端における支柱の中心線の回りに回動可能に取り付けられためがね枠支持部材と、を備えることを特徴とする。
この構成により、めがね枠支持部材を支柱上において所定の方向に向けることができる。従って、このめがね枠の陳列、展示状態にて顧客はめがね枠の使用状態をイメージでき、自身に似合うめがね枠を一目で見つけることができる。また、複数のめがね枠支持部材の向きを揃えるなどして、複数のめがね枠を整列展示することもできる。
【０００９】
また、本考案にかかるめがね枠展示陳列支持装置は、前記めがね枠支持部材が、放射状に延びる所定長の２本のつる支持片および１本のブリッジ支持片からなることを特徴とする。
この構成により、つる部を開いた状態でめがね枠をめがね枠支持部材上に安定支持することができる。従って、顧客は、複数のめがね枠支持部材上に支持された展示中のめがね枠の中から、自身に合ったデザインのめがね枠を容易に探し出し、手に取ることができる。
【００１０】
本考案にかかるめがね枠展示陳列支持装置は、前記めがね枠支持部材が成形品であることを特徴とする。
この構成により、形状が複雑なめがね枠支持部材を安価かつ大量に生産することができる。
【００１１】
本考案にかかるめがね枠展示陳列支持装置は、前記支柱に前記他端外周に凸凹部が設けられ、前記めがね枠支持部材の中心孔内周に、前記凹凸部に選択的に嵌合可能な複数の縦凹凸部が設けられてなることを特徴とする。
この構成により、めがね枠支持部材の凸凹部を、前記支柱の他端外周のいずれかの凹凸部に嵌合させることにより、めがね枠支持部材を、支柱に対し所定の方向に安定的に向くように取り付けることができる。
【００１２】
本考案にかかるめがね枠展示陳列支持装置は、前記支柱の一端に、壁面またはパネル面に設置された係止部材に対し、取外し可能に係止される基板が取り付けられてなることを特徴とする。
この構成により、１または複数のめがね枠支持部材およびこのめがね枠支持部材上のめがね枠を、壁やパネルの垂直面に陳列、展示することができ、めがね枠の陳列量および種類を増やすことができる。
【００１３】
本考案にかかるめがね枠展示陳列支持装置は、前記基板が、前記支柱を平面上に設立可能にするスタンドベースであることを特徴とする。
この構成により、スタンドベースに支持されためがね枠支持部材上に、めがね枠を安定戴置することができる。また、支柱の高さを異ならせることで、陳列ケース内の空間をめがね枠の陳列、展示のために有効利用することができる。
【考案の効果】
【００１４】
本考案に係るめがね枠展示陳列支持装置は、基板に支柱の一端を固定し、この支柱の他端に、この他端における支柱の中心線の回りにめがね枠支持部材を回動可能に取り付けたことにより、めがね枠支持部材を支柱上において所定の方向に向けることができる。従って、複数のめがね枠支持部材上に戴置されためがね枠の中から、顧客自身に似合うめがね枠を一目で見つけることができるとともに、複数のめがね枠支持部材の向きを揃えるなどして、顧客の目を楽しませることができる。
【考案を実施するための最良の形態】
【００１５】
以下、本考案の実施形態を、図面を参照して説明する。
図１、図２および図３は本考案の一実施形態によるめがね枠展示陳列支持装置を示す正面図、側面図および平面図である。なお、図１〜図３は、前記めがね枠展示陳列支持装置を壁などの垂直面に取り付けた状態にて示す。
【００１６】
同図において、めがね枠展示陳列支持装置１は、基板２と、基板２に一端（下端）が固定された支柱３と、支柱３の他端（上端）に回動角度（方向）設定可能に取り付けられためがね枠支持部材４と、から構成されてなる。
これらのうち、前記基板２は、全体として矩形（図上では、長方形）の板体であり、図２に示すように、上部の係止突起２ａと、この係止突起２ａに続く垂直片部２ｂとからなる。垂直片部２ｂは係止突起２ａおよび下端部を覗く部分で背面が肉薄部２ｃとされ、壁面に設置される後述の係止部材に対し着脱容易な形態をなす。なお、基板２は、プラスチックや金属により一体形成されている。
【００１７】
前記支柱３は、全体として「へ」の字状に屈曲され、基板２に対し垂直に取り付けられる水平部３ａと、この水平部３ａに対し、図２に示すように上方へ傾斜する傾斜部３ｂと、この傾斜部３ｂ端から上方に略垂直に起立する起立する起立部３ｃとからなる。
支柱３は、プラスチックや金属により一体形成されるが、強度の点で、金属棒であることが好ましい。
【００１８】
前記めがね枠支持部材４は、図１に示すように、支柱３の端部、つまり起立部３ｃの端部を中心として放射上に延びる、２本の等長のつる支持片４ａ、４ｂと、１本のブリッジ支持片４ｃとからなる。ブリッジ支持片４ｃはつる支持片４ａ、４ｂに比べて幾分長めに形成されている。
【００１９】
また、つる支持片４ａ、４ｂおよびブリッジ支持片４ｃは、上方から見た厚み
（幅）および側方からみた厚み（高さ方向の幅）が略等しく、各先端部に向って徐々に細くなっている。
そして、つる支持片４ａ、４ｂの先端上部には、つる係止突起５、６が設けら
れている。ブリッジ支持片４ｃの先端上部には、対をなす２個のブリッジ係止突
起７、７が設けられている。
【００２０】
これらのブリッジ係止突起７，７の間隔はめがねのブリッジが挿入可能な大きさを持ち、このブリッジをブリッジ支持片４ｃの長手方向に移動するのを規制する形状、サイズとされている。
このめがね枠支持部材４は、硬質で透明のプラスチック、例えばアクリル樹脂により一体形成されている。
【００２１】
前記支柱３は、金属棒の表面に白色塗装やクロムめっきなどが施されている。
そして、その起立部３ｃ端部が所定長に亘って細径部８とされ、この細径部８の外周に複数の、例えば２個の凸凹部である係止リブ８ａが突設されている。また、この細径部８端には摺り割り８ｂが切り込んで形成され、径方向への弾性が付与されている。
【００２２】
一方、前記めがね枠支持部材４の中心部、つまりつる支持片４ａ、４ｂおよびブリッジ支持片４ｃの基部には中心孔９が貫通形成されている。この中心孔９下部の内周には複数（例えば、２４個）の縦リブ（縦凹凸部）９ａが形成され、これらのいずれかが、前記細径部８の係止リブ８ａに選択的に嵌合可能な形状、サイズとされている。
【００２３】
これにより、これらの嵌合位置を変えるように、係止リブ８ａに対し縦リブ９ａを挿入、係合することにより、支柱３に対しめがね枠支持部材４の向きを任意に調整可能な取付けとすることができる。
なお、前記摺り割り８ｂは細径部８ａに径方向の弾性を付与し、取付孔９内で発生するガタを吸収するように機能する。
前記取付孔９の上部開口には、必要に応じ塵埃侵入防止用の樹脂キャップ１０が装着される。
【００２４】
次に、前記のような構成のめがね枠展示陳列支持装置を、めがね枠の陳列、展示に使用する場合を説明する。まず、展示室等の垂直の壁面やパネル面に、上下方向に複数個(複数段）の、例えば２本（２段）の係止部材１１を、所定間隔をおいて水平に設置する。
これらの係止部材１１は、図２に示すように、前記基板２の係止突起２ａに嵌合可能なフック部１１ａを持つものである。
【００２５】
次に、このフック部１１ａ内に基板２の係止突起２ａを下方から差し入れ、この基板２の下端を、下段の係止部材１１上面に戴置する。基板２は、前記のように垂直片部２ｂの側面が肉薄部２ｃとなっているため、基盤２の下端が壁面に接合するように、係止部材１１上面に戴置可能となる。
このため、支柱３およびめがね枠支持部材４の重量とも相俟って、係止部材１１による基板２の保持が安定化することになる。
【００２６】
また、この状態では、めがね枠支持部材４を構成する、つる支持片４ａ、４ｂおよびブリッジ支持片４ｃの各先端部３点でめがね枠を安定的に支持する。そこで、図６に示すように、その２本のつる支持片４ａ、４ｂに、めがね１２の２本のつる部１２ａ、１２ｂを支持させ、ブリッジ支持片４ｃ上のブリッジ係止突起７、７間にブリッジ部１２ｃを支持させることにより、めがね１２を垂直の壁面、例えば視線の高さに、陳列、展示することができる。図６は、４個のめがね枠展示陳列支持装置に、めがね１２を支持させた状態を示す。
【００２７】
また、このようなめがね枠の陳列、展示にあたって、支持部材４を支柱３の起立部３ｃから抜き取り、向きを変えて再び差し込むことにより、係止リブ８ａに対する中心孔９側の、複数の縦リブ９ａの嵌合位置が変えられる。
これにより、複数の支柱３に対し、図６に示すように、めがね枠支持部材４を同一方向に整列させることができる。従って、陳列、展示のデザイン性が向上し、顧客によるつるが開いた状態での選択を容易化できる。
【００２８】
図７は、めがね枠展示陳列支持装置の他の実施形態を示す。このめがね枠展示陳列支持装置１Ａは陳列棚の平面上に設置可能な構成としたものである。従って、前記基板２として、重量がある、例えば金属製のスタンドベース２Ａに、支柱３Ａを支持させた構成である。
また、支柱３Ａは垂直部３ｄと、これに対し１３５°の角度で傾斜する傾斜部３ｅとからなる。そして、この傾斜部３ｅの上端には、図４に示したものと同様の嵌合構造にて、めがね枠支持部材４が角度（方向)調整可能に取り付けられる。
【００２９】
このめがね枠展示陳列支持装置１Ａにあっては、これを陳列棚の平面上に設置したとき、めがね枠支持部材４の全体が、図７に示すように大きく傾く。従って、このめがね枠支持部材４におけるブリッジ支持片４ｃのブリッジ係止突起７、７間にめがね１２のブリッジ部を支持させ、二つのつる部１２ａ、１２ｂをつる支持片４ａ、４ｂに支持させれば、落下することなく、安定に保持される。
また、図７に示すめがね支持装置では、支柱３の高さが異なるものを用意することで、陳列棚におけるめがね支持装置およびめがねの陳列数を増やすことができ、陳列空間の有効利用を図ることができる。
従って、陳列棚内を顧客が覗いたとき、高い位置からめがね枠の正面や側面を看取でき、めがね枠のデザイン等の選択が容易になる。
【００３０】
また、傾斜部３ｅ端の、図４に示すような中心孔９に嵌められているキャップ１０を取り外し、商品であるめがね枠の宣伝広告や値段などの諸情報を表示するＰＯＰ表示部材１３を先端に有する金属棒１４を、その中心孔９に差し込む。これにより、顧客に商品の詳細を明示することができる。また、このＰＯＰ表示部材１３は必要に応じ、支柱から外しておくこともできる。
【００３１】
以上のように、本実施の形態にあっては、基板２に支柱３の一端を固定し、この支柱３の他端に、この他端における支柱３の中心線の回りにめがね枠支持部材４を回動可能に取り付けたことにより、めがね枠支持部材４を支柱３上において所定の方向に向けることができる。従って、複数のめがね枠支持部材４上に戴置されためがね枠の中から、顧客自身に似合うめがね枠を一目で見つけることができる。また、複数のめがね枠支持部材４の向きを揃えるなどして、複数のめがね枠の整列展示を行うことで、顧客の目を楽しませることができる。
【産業上の利用可能性】
【００３２】
本考案に係るめがね枠展示陳列支持装置は、使用状態に近い、つる部を開いた状態でのめがね枠の展示、陳列を整然と行えるようにするとともに、必要に応じ壁面に対しめがね枠を着脱可能に支持でき、さらに陳列棚等においても設置空間を有効利用しながらめがね枠を陳列、展示できるという効果を有し、めがね枠を、つる部を開いた状態で支持しながら陳列や展示に供するめがね枠展示陳列支持装置等に有用である。
【図面の簡単な説明】
【００３３】
【図１】本考案の実施形態によるめがね枠展示陳列支持装置を示す正面図である。
【図２】図１に示すめがね枠展示陳列支持装置の側面図。
【図３】図１に示すめがね枠展示陳列支持装置の平面図。
【図４】図１における支柱とめがね枠支持部材との結合構造を示す断面図。
【図５】図１におけるめがね枠支持部材の要部の平面図。
【図６】本考案のめがね枠展示陳列支持装置によるめがねの陳列例を概略的に示す平面図。
【図７】本考案の他の実施形態によるめがね枠展示陳列支持装置を示す側面図。
【符号の説明】
【００３４】
１Ａ…めがね枠展示陳列支持装置  ２、２Ａ…基板  ３、３Ａ…支柱  ４、４Ａ…めがね枠支持部材  ４ａ、４ｂ…つる支持片  ４ｃ…ブリッジ支持片  ５、６…つる係止突起  ７…ブリッジ係止突起  ８…細径部  ８ａ…係止リブ  ８ｂ…摺り割り  ９…中心孔  ９ａ…縦リブ  １０…キャップ  １２…めがね  １２ａ、１２ｂ…つる部  １２ｃ…ブリッジ部
【図１】
0003115330.tif 000003
【図２】
0003115330.tif 000004
【図３】
0003115330.tif 000005
【図４】
0003115330.tif 000006
【図５】
0003115330.tif 000007
【図６】
0003115330.tif 000008
【図７】
0003115330.tif 000009